(57)【特許請求の範囲】
【請求項１】
個人の指紋の読み取り手段（Ａ）、及び個人の指紋情報と、情報記憶媒体（９１）に書き込まれて照合対象物に貼り付けられた指紋情報を照合する手段（Ｆ）として、指紋照合ユニット（２１）を有し、
前記個人の指紋情報を前記情報記憶媒体（９１）に書き込む手段（Ｃ）、及び前記情報記憶媒体（９１）から前記個人の指紋情報を読み取る手段（Ｅ）として、リーダ／ライタ（８１）を有し、
前記個人の指紋情報を印字する手段（Ｄ）、及び前記指紋の照合結果の印字手段（Ｇ）として、マーカー（４１）を有し、
個人の指紋情報、作業日時、個人の氏名・識別番号の属性情報、登録した指の情報及び照合対象物の情報の入力手段（Ｂ）として、かつ前記手段（Ａ）から（Ｇ）の制御手段（Ｈ）として、装置本体（１１）を有し、
前記情報記憶媒体（９１）は、ラジオＩＣメモリーまたはフラッシュメモリーよりなり、前記装置本体（１１）は、表示部（１３）、記憶部（１４）、バッテリー（１５）、通信用部材（１６）を有し、
前記指紋照合ユニット（２１）は、装置本体（１１）からの命令により、
〈Ａ〉指紋登録時には個人の指紋の読み取りを行い、読み取った指紋情報を暗号化し、装置本体（１１）に送信し、
〈Ｂ〉照合時には前記情報記憶媒体（９１）に保存されていた個人の指紋情報を、装置本体（１１）から受け取り、暗号を解読し、前記〈Ａ〉で、新たに読み取った個人の指紋情報と照合させ、当該照合した結果を装置本体（１１）に送信し、
前記マーカー（４１）は、
前記装置本体（１１）から、有線または無線によって情報を受け取り、
〈ａ〉個人の氏名・識別番号の属性情報、照合対象物の名称、作業日時を、文字または印として、前記情報記憶媒体（９１）に印字することができ、または
〈ｂ〉照合対象物そのものに前記（a）の情報を印字することができ、または
〈ｃ〉照合結果、及び照合作業の日時を文字として印字を行うことができ、
前記リーダ／ライタ（８１）は、通信用部材（８６）と通信コネクタ（８７）を有し、当該通信コネクタ（８７）と、前記装置本体（１１）に装着された通信コネクタ（１７）を介して、前記装置本体（１１）から指紋情報及び個人の氏名・識別番号の情報を受け取ることができ、
前記通信用部材（８６）により前記情報記憶媒体（９１）に対して、前記指紋情報及び個人の氏名・識別番号の属性情報の書き込みを行うことができ、
前記通信用部材（８６）により、前記情報記憶媒体（９１）から前記情報を読み取り、前記通信コネクタ（８７）により、前記装置本体（１１）に読み取った前記情報を送信することができることを特徴とする個人識別装置（１）。
【請求項２】
前記手段（Ａ）から（Ｈ）の作業記録管理手段（Ｉ）として、作業管理用データベース（５１）を有し、
当該作業管理用データベース（５１）と前記装置本体（１１）とを接続する本体接続器具（３１）を有することを特徴とする請求項１に記載の個人識別装置（１）。
【請求項３】
前記作業管理用データベース（５１）は、通信用部材（５６）を内蔵し、
記憶媒体に、前記装置本体（１１）内蔵の記憶部（１４）に記憶されている前記装置本体（１１）が行った全ての作業記録を、
前記本体接続器具（３１）、または前記通信用部材（５６）を介して受け取り、管理し、個人データの入力装置（６３）を接続して、個人の氏名・識別番号の属性情報、対象物の名称を入力でき、個人ファイルの作成、作業者の管理を行うことができる、ことを特徴とする請求項１または請求項２に記載の個人識別装置（１）。
【請求項４】
当該本体接続器具（３１）は、前記装置本体（１１）の収納溝を有し、当該収納溝に、前記装置本体（１１）の通信コネクタ（１７）と接続する通信コネクタ（３７）を配置したことを特徴とする請求項１から請求項３のいずれか１項に記載の個人識別装置（１）。
【請求項５】
前記表示部（１３）は、作業者の命令の入力、指紋情報の読み取り、情報記憶媒体（９１）への書き込み、情報の印字、情報記憶媒体（９１）の読み取り、読み取った指紋情報同士の照合、照合結果の印字命令、装置本体（１１）及び作業者の入力ミスによるエラー状態の表示、作業者の命令及び確認の受け取り、の作業をすることができる、ことを特徴とする請求項１から請求項４のいずれか１項に記載の個人識別装置（１）。
【請求項６】
前記記憶部（１４）は、前記装置本体（１１）内で動作するシステムを記憶し、当該システムが行った作業を全て、作業記録として記憶し、
前記システムは、前記装置本体（１１）と、前記指紋照合ユニット（２１）と、前記マーカー（４１）と、及び前記リーダ／ライタ（８１）の動作を制御するアプリケーションソフトであることを特徴とする請求項１から請求項５のいずれか１項に記載の個人識別装置（１）。
【請求項７】
前記通信用部材（１６）は、無線または有線により、前記マーカー（４１）、別の装置本体（１１）、作業管理データベース（５１）と通信を行うことができることを特徴とする請求項１から請求項６のいずれか１項に記載の個人識別装置（１）。
【請求項８】
前記装置本体（１１）、前記指紋照合ユニット（２１）、及び前記マーカー（４１）、前記リーダ／ライタ（８１）に、バッテリー（１５、２５、４５、８５）として、
リチウムイオン充電式の二次電池、または
前記本体装置（１１）、前記指紋照合ユニット（２１）、及び前記マーカー（４１）、リーダ／ライタ（８１）に着脱可能でかつ交換可能な電池、を内蔵することを特徴とする請求項１から請求項７のいずれか１項に記載の個人識別装置（１）。
【請求項９】
前記装置本体（１１）、前記マーカー（４１）、及び前記作業管理用データベース（５１）、リーダ／ライタ（８１）に、通信用部材（１６、４６、５６、８６）として、赤外線通信部材を内蔵することにより、前記マーカー（４１）、別の装置本体（１１）、及び作業管理データベース（５１）と無線で通信を行うことができ、またはケーブルＣ、もしくは本体接続器具（３１）を使用することにより、前記マーカー（４１）、別の装置本体（１１）、及び作業管理データベース（５１）と有線で通信を行うことができる、
ことを特徴とする請求項１から請求項８のいずれか１項に記載の個人識別装置（１）。
【発明の詳細な説明】
【０００１】
【発明の属する技術分野】
本発明の個人識別装置は、ＲＦＩＤ（Radio Frequency Identification）非接触型個人認証システムを利用した個人識別装置であって、電気的接触を行わずに、半導体メモリーやフラッシュメモリー等の記憶素子に対して無線による情報の書き込み／読み取りを行う個人識別装置である。さらに詳述すれば本発明の個人識別装置はコンピュータが個人の生体組織（またはその一部）をその個人の特徴として捉え、個人の氏名、年齢などの属性と共にした情報を照合対象物（例えば血液バッグやカルテなど）に貼付する情報記憶媒体として、電気的接触部が無く、前記情報の書き込み／読み取りを無線にて行うものである。さらに駆動電力も情報を書き込み／読み取りを行う機器（例えばリーダ／ライタ）により書き込み／読み取り作業時に例えば電磁誘導等によって非接触で供給を行うことができるラジオＩＣメモリー（例えばＥＰＲＯＭやＥＥＰＲＯＭなどの半導体メモリー）やフラッシュメモリー等の記憶素子を採用するものである。なお本発明は半導体メモリーやフラッシュメモリー等の記憶素子と同等の機能を有する記憶素子であれば何でも利用することができる。
【０００２】
【従来の技術及び発明が解決しようとする課題】
現行の個人認証装置では、照合対象物に個人属性及び指紋情報を含む個人情報を添付する手段として二次元バーコードを使用している。二次元バーコードは通常（一次元）のバーコードよりも情報の積載量に優れ、かつ印刷されるサイズも小さくてすむという利点がある。しかし、印刷するたびにシールラベルを消費し、裏紙などのごみが残る問題がある。また、印刷するシールラベルは二次元バーコードの印刷状態が水滴や熱などによって劣化しないように、照合対象物が保存される環境を考慮し、耐水性、耐熱性に優れる素材を使用したり、印刷を行いラベルを貼ったその上から更にＰＥ（ポリエチレン）などの透明なフィルムを防適材として貼る必要があった。
そこで本発明者らは以上の課題を解決するために鋭意検討を重ねた結果次の発明に到達した。
【０００３】
［１］本発明は、個人の指紋の読み取り手段（Ａ）、及び個人の指紋情報と、情報記憶媒体（９１）に書き込まれて照合対象物に貼り付けられた指紋情報を照合する手段（Ｆ）として、指紋照合ユニット（２１）を有し、
前記個人の指紋情報を前記情報記憶媒体（９１）に書き込む手段（Ｃ）、及び前記情報記憶媒体（９１）から前記個人の指紋情報を読み取る手段（Ｅ）として、リーダ／ライタ（８１）を有し、
前記個人の指紋情報を印字する手段（Ｄ）、及び前記指紋の照合結果の印字手段（Ｇ）として、マーカー（４１）を有し、
個人の指紋情報、作業日時、個人の氏名・識別番号の属性情報、登録した指の情報及び照合対象物の情報の入力手段（Ｂ）として、かつ前記手段（Ａ）から（Ｇ）の制御手段（Ｈ）として、装置本体（１１）を有し、
前記情報記憶媒体（９１）は、ラジオＩＣメモリーまたはフラッシュメモリーよりなり、前記装置本体（１１）は、表示部（１３）、記憶部（１４）、バッテリー（１５）、通信用部材（１６）を有し、
前記指紋照合ユニット（２１）は、装置本体（１１）からの命令により、
〈Ａ〉指紋登録時には個人の指紋の読み取りを行い、読み取った指紋情報を暗号化し、装置本体（１１）に送信し、
〈Ｂ〉照合時には前記情報記憶媒体（９１）に保存されていた個人の指紋情報を、装置本体（１１）から受け取り、暗号を解読し、前記〈Ａ〉で、新たに読み取った個人の指紋情報と照合させ、当該照合した結果を装置本体（１１）に送信し、
前記マーカー（４１）は、
前記装置本体（１１）から、有線または無線によって情報を受け取り、
〈ａ〉個人の氏名・識別番号の属性情報、照合対象物の名称、作業日時を、文字または印として、前記情報記憶媒体（９１）に印字することができ、または
〈ｂ〉照合対象物そのものに前記（a）の情報を印字することができ、または
〈ｃ〉照合結果、及び照合作業の日時を文字として印字を行うことができ、
前記リーダ／ライタ（８１）は、通信用部材（８６）と通信コネクタ（８７）を有し、当該通信コネクタ（８７）と、前記装置本体（１１）に装着された通信コネクタ（１７）を介して、前記装置本体（１１）から指紋情報及び個人の氏名・識別番号の情報を受け取ることができ、
前記通信用部材（８６）により前記情報記憶媒体（９１）に対して、前記指紋情報及び個人の氏名・識別番号の属性情報の書き込みを行うことができ、
前記通信用部材（８６）により、前記情報記憶媒体（９１）から前記情報を読み取り、前記通信コネクタ（８７）により、前記装置本体（１１）に読み取った前記情報を送信することができる個人識別装置（１）を提供する。
［２］本発明は、前記手段（Ａ）から（Ｈ）の作業記録管理手段（Ｉ）として、作業管理用データベース（５１）を有し、
当該作業管理用データベース（５１）と前記装置本体（１１）とを接続する本体接続器具（３１）を有する［１］に記載の個人識別装置（１）を提供する。
［３］本発明は、前記作業管理用データベース（５１）は、通信用部材（５６）を内蔵し、
記憶媒体に、前記装置本体（１１）内蔵の記憶部（１４）に記憶されている前記装置本体（１１）が行った全ての作業記録を、
前記本体接続器具（３１）、または前記通信用部材（５６）を介して受け取り、管理し、個人データの入力装置（６３）を接続して、個人の氏名・識別番号の属性情報、対象物の名称を入力でき、個人ファイルの作成、作業者の管理を行うことができる、［１］または［２］に記載の個人識別装置（１）を提供する。。
［４］本発明は、当該本体接続器具（３１）は、前記装置本体（１１）の収納溝を有し、当該収納溝に、前記装置本体（１１）の通信コネクタ（１７）と接続する通信コネクタ（３７）を配置した［１］から［３］のいずれか１項に記載の個人識別装置（１）。
［５］本発明は、前記表示部（１３）は、作業者の命令の入力、指紋情報の読み取り、情報記憶媒体（９１）への書き込み、情報の印字、情報記憶媒体（９１）の読み取り、読み取った指紋情報同士の照合、照合結果の印字命令、装置本体（１１）及び作業者の入力ミスによるエラー状態の表示、作業者の命令及び確認の受け取り、の作業をすることができる、［１］から［４］のいずれか１項に記載の個人識別装置（１）。
［６］本発明は、前記記憶部（１４）は、前記装置本体（１１）内で動作するシステムを記憶し、当該システムが行った作業を全て、作業記録として記憶し、
前記システムは、前記装置本体（１１）と、前記指紋照合ユニット（２１）と、前記マーカー（４１）と、及び前記リーダ／ライタ（８１）の動作を制御するアプリケーションソフトである［１］から［５］のいずれか１項に記載の個人識別装置（１）。
［７］本発明は、前記通信用部材（１６）は、無線または有線により、前記マーカー（４１）、別の装置本体（１１）、作業管理データベース（５１）と通信を行うことができる［１］から［６］のいずれか１項に記載の個人識別装置（１）。
［８］本発明は、前記装置本体（１１）、前記指紋照合ユニット（２１）、及び前記マーカー（４１）、前記リーダ／ライタ（８１）に、バッテリー（１５、２５、４５、８５）として、
リチウムイオン充電式の二次電池、または
前記本体装置（１１）、前記指紋照合ユニット（２１）、及び前記マーカー（４１）、リーダ／ライタ（８１）に着脱可能でかつ交換可能な電池、を内蔵する［１］から［７］のいずれか１項に記載の個人識別装置（１）。
［９］本発明は、前記装置本体（１１）、前記マーカー（４１）、及び前記作業管理用データベース（５１）、リーダ／ライタ（８１）に、通信用部材（１６、４６、５６、８６）として、
赤外線通信部材を内蔵することにより、前記マーカー（４１）、別の装置本体（１１）、及び作業管理データベース（５１）と無線で通信を行うことができ、または
ケーブルＣ、もしくは本体接続器具（３１）を使用することにより、前記マーカー（４１）、別の装置本体（１１）、及び作業管理データベース（５１）と有線で通信を行うことができる、
［１］から［８］のいずれか１項に記載の個人識別装置（１）。
【０００４】
【発明の実施の形態】
本発明の個人識別装置は、個人の指紋の読み取り手段Ａと、前記指紋情報及び／又は個人情報等の属性からなる情報の入力手段Ｂと、情報記憶媒体に前記情報を書き込む手段Ｃと、情報記憶媒体或いは情報記憶媒体を貼り付けた照合対象物そのものに個人情報を文字及び／又は印（例えば顔写真など形状や色を目で見分けることができる情報等）で印字する手段Ｄと、照合対象物に貼り付けた情報記憶媒体の前記情報を読み取る手段Ｅと、患者個人の指紋と照合対象物に貼り付けた情報記憶媒体の前記情報を照合する手段Ｆと、前記情報の照合結果の印字手段Ｇと、前記手段ＡからＧの制御手段Ｈから構成される。さらに前記手段ＡからＨの作業記録管理手段Ｉを有する。
【０００５】
本発明において前記情報の入力手段Ｂと前記手段ＡからＦの制御手段Ｈとは装置本体１１であり、個人の指紋の読み取り手段Ａ及び、該情報と照合対象物に貼り付けた情報記憶媒体の指紋情報を照合する手段Ｆが指紋照合ユニット２１であり、前記情報を情報記憶媒体に書き込む手段Ｃ及び、情報記憶媒体から前記情報を読み取る手段Ｅがリーダ／ライタ８１であり、前記情報を印字する手段Ｄ及び、前記指紋の照合結果の印字手段Ｇがマーカー４１である。
【０００６】
図１は、本発明の個人識別装置１の一例を示す概略図である。
個人識別装置１は、装置本体１１と指紋照合ユニット２１と、前記装置本体１１に接続されるマーカー４１と、前記装置本体１１と作業管理用データベース５１を接続する本体接続器具３１と、リーダ／ライタ８１と、前記作業管理用データベース５１とから構成される。
前記装置本体１１は、制御部１２、表示部１３、記憶部１４、バッテリー（二次電池）１５、通信用部材１６を内蔵する。
前記表示部１３は、例えば作業者の指ないし棒状の治具（スタイラスペン等）による命令の入力を可能とした液晶タッチパネルを採用し、該液晶画面上に例えば指紋情報の読み取り、情報記憶媒体９１への書き込み、情報の印字、情報記憶媒体９１の読み取り、読み取った指紋情報同士の照合、および結果の印字などの命令を記したボタンまたはツールバーや、装置および作業者の入力ミスによるエラー状態を表示し、指ないし棒状の治具を使用して、作業者の命令および確認を受け取ることができる。また音を発生させるブザーを内蔵して、作業者に対して作業の完了を通知したり、警告音と共に装置によるエラー或いは作業者のミスを指摘させることができる。
前記記憶部１４は、本体１１内で動作するシステム（装置本体１１と、指紋照合ユニット２１と、マーカー４１と、リーダ／ライタ８１の動作、を制御するアプリケーションソフト）を記憶させている。また、システムが行った作業全て（入力ミスなども含む）を履歴情報（作業記録）として記憶させておく。記憶部１４は例えばフラッシュＲＯＭ等の不揮発メモリーを採用することができる。
前記バッテリー１５により、本体装置１１を無線で作動させることができ、本体装置１１を小型化し携帯可能にすることができる。バッテリー１５として、例えばリチウムイオン充電式等の二次電池を採用することができる。また本体装置１１に着脱可能でかつ交換可能な電池も採用することができる。後述するバッテリー２５、４５、８５もバッテリー１５と同様のバッテリーを採用することができる。
前記通信用部材１６として例えば赤外線通信部材（ＩｒＤＡ）を内蔵することにより無線でマーカー４１との通信や別の装置本体１１および作業管理データベース５１との通信を行うことができる。また通常のケーブルＣや本体接続器具３１を採用することにより有線で通信を行うことができる。後述する通信用部材４６、５６、８６も前記通信用部材１６と同様の通信用部材を採用することができる。
また通信コネクタ１７を配置することにより本体接続器具３１の通信コネクタ３７と接続することができる。
【０００７】
前記指紋照合ユニット２１は、装置本体１１からの命令によって動作する。指紋登録時には個人の指紋の読み取りを行い、読み取った指紋情報を暗号化し、装置本体１１に送信する。照合時には装置本体１１が読み取った情報記憶媒体９１に保存されていた個人の指紋情報を装置本体１１から受け取り、暗号を解読し、新たに読み取った個人の指紋情報と照合させる。その後照合した結果を装置本体１１に返信する。バッテリー２５（二次電池）を内蔵してこれにより作動し、小型で携行することができる。また通信コネクタ２７を配置することにより本体１１とリーダ／ライタ８１の通信コネクタ１７、８７と接続することができる。
前記本体接続器具３１は、前記装置本体１１をしっかりと収容できる形状に形成されている。（例えば装置本体１１の収納溝を有しており、該収納溝に装置本体１１の通信コネクタ１７を接続する通信コネクタ３７を配置している。）
またケーブルＣで接続された作業管理用データベース５１へ本体１１に記憶されている作業記録を送ったり（情報通信）、本体１１のバッテリー１５（二次電池）に充電を行うことができる。
前記マーカー４１は、前記装置本体１１と専用のケーブルＣ或いは本体接続器具３１を使用した有線接続、または内蔵した通信用部材４６により光通信、電波通信などの無線によって情報を受け取り、個人情報、作業日時等の属性となる情報を文字及び／又は印（例えば顔写真など形状や色を目で見分けることができる情報等）を照合対象物に貼り付けた情報記憶媒体９１或いは照合対象物そのものに印字したり、照合を行った結果およびその作業日時を記した文字等の印字を行う。またバッテリー４５（二次電池）を内蔵してこれにより作動し、小型で携行することができる。例えばインクジェットプリンタ等のマーキング機器が使用される。またＡＣ電源により動作する機種も使用することができる。
前記リーダ／ライタ８１は、通信用部材８６と、通信コネクタ８７とバッテリー８５（二次電池）を有し、通信コネクタ８７により装置本体１１から指紋情報及び個人情報などを受け取り、通信用部材８６により情報記憶媒体９１に対して前記情報の書き込みを行うことができる。また、通信用部材８６により、情報記憶媒体９１から前記情報を読み取り、通信コネクタ８７により本体１１に読み取った前記情報を送ることができる。バッテリー８５（二次電池）により作動し、小型で携行することができる。
【０００８】
前記作業管理用データベース５１は、例えば汎用のパソコンが使用され、ハードディスクなどの情報記憶媒体などにより、装置本体１１内蔵の記憶部１４に記憶されている装置本体１１が行った全ての作業記録を、本体接続器具３１や内蔵した通信用部材５６により無線通信を通して受け取り管理する。また患者データの入力装置６３（例えば、キーボード、磁気カードリーダ、コードスキャナ、ＩＣリーダ等）を接続して、患者属性情報を入力する。また患者ファイルの作成と作業者の管理も行うことができる。
またラベルプリンタ６１を接続して、作業者ラベル（名前、登録番号）を印刷することができる。
また複数の装置本体１１を用いている場合は、装置本体１１に番号を割り付け、どの装置本体１１で行った作業かを確認できるようにする。前記データベースではその記録を参照し、プリンタ６２では、情報記憶媒体９１に含まれていた一部の患者情報及び作業日時などの属性情報、また文字により記した書式、装置本体１１の作業履歴とその詳細な内容を印刷することもできる。また輸血管理システム施設内ネットワーク６４に接続して、関係者による閲覧も可能である。
本発明に使用される情報記憶媒体９１は、例えばラジオＩＣメモリー（例えばＥＰＲＯＭやＥＥＰＲＯＭなどの半導体メモリー）またはフラッシュメモリーが使用され、これらは例えばＰＥＴ（ポリエステル）等のプラスチック素材からなるシールラベル等に封入される。
【０００９】
以下に本発明の個人識別装置の一例について説明する。
使用例１：個人情報の登録方法（図２参照）
（１）指紋照合ユニット２１によって個人の指紋を読み取る。
（２）読み取った指紋情報７１を装置本体１１に送る。
（３）個人の属性（識別番号、氏名など）の情報と、登録を行った指の情報（例えば『右手人差し指』という値）を装置本体１１に入力し、指紋情報７１と共にリーダ／ライタ８１を使用して、シールラベル９２に封入された情報記憶媒体９１に書き込む。
（４）情報記憶媒体９１を封入したシールラベル９２を照合対象物７０（例えば血液バッグ、カルテなど）に貼付する。
（５）同時に、情報記憶媒体９１を封入したシールラベル９２に、作業を行った日時や登録を行った指の情報や個人情報を示す文字或いはしるしをマーカー４１によって印字する。
【００１０】
使用例２：照合方法（図３参照）
（１）一つ或いは複数の照合対象物７０に貼付された情報記憶媒体９１（ラジオＩＣメモリーまたはフラッシュメモリー）からリーダ／ライタ８１を使用して情報を読み取る。
（２）読み取られた情報から指紋情報７１を採取し、指紋照合ユニット２１に転送する。
また、複数の情報記憶媒体９１から情報を読み出した場合、それらの情報内容が全て同一個人のものであることを装置本体１１内で確認するため照合を行う。結果、全ての情報内容が一致していることが確認されると、読み出された情報の中から一つ選抜し、指紋情報７１を採取して指紋照合ユニット２１に転送する。
（３）読み出された情報から、個人情報及を表示部１３に表示する。また、登録を行った指の情報も同時に表示することで、照合に使用する指を指示する。
（４）指紋照合ユニット２１に個人の指紋を入力し、装置本体１１より転送された指紋情報７１と照合する。
（５）照合結果は、装置本体１１に転送され、表示部１３にその結果およびその時点での日時を表示する。また一致と不一致またはエラーといった結果の違いは装置本体１１に内蔵されているブザーが発する音で聞き分けることもできる。
（６）照合結果は、その作業を行った時点の日時と共にマーカー４１によって印字することができる。
【００１１】
【発明の作用効果】
（１）ラジオＩＣメモリー（例えばＥＰＲＯＭやＥＥＰＲＯＭなどの半導体メモリー）またはフラッシュメモリー等の記憶素子は、情報の入出力が二次元バーコードラベルを用いたシステムよりも情報の書き込み／読み取り時間が短く、操作方法も簡単であるため、作業効率が向上する。
（２）ラジオＩＣメモリー（例えばＥＰＲＯＭやＥＥＰＲＯＭなどの半導体メモリー）またはフラッシュメモリー等の記憶素子は、情報の書き換えを行うことができるため、場合によってはリユースすることも可能である。したがって無駄にごみを出さなくなる。
【図面の簡単な説明】
【図１】本発明の個人識別装置の概略図
【図２】本発明の個人識別装置の使用例を示す概略図
【図３】本発明の個人識別装置の使用例を示す概略図
【符号の説明】
１  個人識別装置
１１  本体
１２  コードスキャナ
１３  表示部
１４  記憶部
１５  バッテリー
１６  通信用部材
１７  通信コネクタ
２１  指紋照合ユニット
２５  バッテリー
２７  通信コネクタ
３１  本体接続器具
３７  通信コネクタ
４１  マーカー
４５  バッテリー
４６  通信用部材
５１  作業管理用データベース
５６  通信用部材
６１  ラベルプリンタ
６２  プリンタ
６３  入力装置
６４  ネットワーク
７０  照合対象物
７１  個人の指紋
７３  照合結果ラベル
７４  作業者ラベル
Ｃ  ケーブル
８１  リーダ／ライタ
８５  バッテリー
８６  通信用部材
８７  通信コネクタ
９１  情報記憶媒体
９２  シールラベル
【図１】
0004812984.tif 000002
【図２】
0004812984.tif 000003
【図３】
0004812984.tif 000004